(57)【特許請求の範囲】
【請求項１】
磁気カードをカード走行溝の差込部から走行部を経て保持部に向かってスライドさせることにより、当該磁気カードの情報を読み取る、前記走行部に設けられた読取部と、
前記読取部により情報が読み取られた前記磁気カードが、前記保持部に保持されているか否かを検知する、前記保持部に設けられた検知部と、
前記カード走行溝の前記保持部の上部のみを覆う屋根と、
を備え、
前記カード走行溝の幅は、前記差込部から前記保持部に向かって狭くなっている、
磁気カードリーダ。
【請求項２】
前記磁気カードは、前記保持部に保持されたときに、当該磁気カードに対向する前記屋根に対して略隙間がないように、前記カード走行溝と前記屋根との間に入り込む、
請求項１に記載の磁気カードリーダ。
【請求項３】
前記カード走行溝の末端に設けられたカードストッパと、
前記屋根と前記カードストッパとの間に設けられた壁と、
をさらに備える請求項１又は２に記載の磁気カードリーダ。
【請求項４】
前記磁気カードが前記保持部に保持されてから抜去されるまで、当該磁気カードの情報に応じてシステムへのアクセスを許可するアクセス許可部をさらに備える、
請求項１〜３のいずれか１項に記載の磁気カードリーダ。
【発明の詳細な説明】
【技術分野】
【０００１】
本発明は磁気カードリーダに関する。
【背景技術】
【０００２】
金融機関、医療機関等のセキュリティシステムでは、磁気カードリーダを用いた個人認証を行っている。このようなセキュリティシステムには、情報の機密保持を目的として、特定のユーザのみの操作を可能にする機能が付加されている。これを実現する方法として、カードをカードリーダに保持したままでシステムを操作可能とし、カードが抜き取られるとシステムを操作不可能とする技術が開発されている。
【０００３】
特許文献１には、窓口端末装置を操作するオペレータの登録方法が開示されている。特許文献１に記載の方法では、カード情報を読み取とったカードが、カードリーダからこれに連結したカードホルダへ連続的に移動したことを検出し、かつ、当該カードがカードホルダへ保持されたことを検出することにより、カード情報が窓口端末装置に登録され、当該窓口端末装置が操作可能な状態となる。また、カードがカードホルダから抜きとられると、カード情報の登録の消去が行われる。
【０００４】
特許文献２には、カードをカード読み取り装置に差し込んでカード情報を読み取り、かつ、差し込んだままの状態を保持することにより、操作可能とするセキュリティシステムが開示されている。特許文献２に記載のカード読取装置には、複数のカード検出用センサがカード差込方向に配列して設けられている。それぞれのセンサは、カード差込状態において、差込口に最も近いセンサが未検出状態で、このセンサを除く他のセンサが検出状態となるように配置されている。複数のセンサの状態遷移を監視することにより、１枚のカードによる複数端末の同時操作を防止している。
【０００５】
特許文献３には、カードリーダ内部における磁気カードの滞留を検出することで、装置の作動を制御する技術が開示されている。引用文献３では、薄い直方体の本体に設けられたカード通路に沿って、カード通路横断面の途中部に指入れ可能な溝を形成することにより、当該カード通路を手動往復可能としている。カード通路の終端にはカード滞留域が形成されており、カードの滞留を電気的に検知でき、かつ、溝内で肉眼でも確認できるように構成されている。
【０００６】
特許文献４には、磁気カードに磁気カードアダプタを装着し、磁気カード走行溝にカードを装着した状態では、磁気カードに直接触れることができないようにした磁気カードリーダが開示されている。カードアダプタは磁気カード走行溝のカード走行部にある状態では、引抜きが不可能である。
【先行技術文献】
【特許文献】
【０００７】
【特許文献１】特開昭６３−２３３４６９号公報
【特許文献２】特開平０７−２００７４６号公報
【特許文献３】特開平０７−２３５１２４号公報
【特許文献４】特開平１０−２２２６２８号公報
【発明の概要】
【発明が解決しようとする課題】
【０００８】
一般的に、カード情報を読み取った磁気カードが保持されているか否かの判定には、フォトインタラプタが用いられている。フォトインタラプタは、対向する発光部と受光部を有し、発光部からの光が磁気カードにより遮られるのを受光部で検出することによって、磁気カードが保持部に保持されていることを判定する光センサである。
【０００９】
このような判定方法では、磁気カードがフォトインタラプタにより検出されている状態で、他のカードや社員証、名刺等をカードリーダに差し込み、当該磁気カードと差し替えても、磁気カードが保持されていると認識された状態が継続されるという問題がある。このように、他のカード等で不正にシステムへのアクセス継続が可能となってしまう。また、本来保持されていなければならない磁気カードを抜き取ることができるため、この抜き取られたカードを利用した不正アクセスが発生する恐れがある。
【００１０】
本発明は、上述した課題を解決するためになされたものであり、本発明の目的は認証後の磁気カードの抜き取りを抑制し、セキュリティ性を向上させることが可能なカードリーダを提供することである。
【課題を解決するための手段】
【００１１】
本発明の一態様に係るカードリーダは、磁気カードをカード走行溝の差込部から保持部に向かってスライドさせることにより、当該磁気カードの情報を読み取る読取部と、前記読取部により情報が読み取られた前記磁気カードが、前記保持部に保持されているか否かを検知する検知部と、前記カード走行溝の前記保持部の上部を覆う屋根とを備える。
【発明の効果】
【００１２】
本発明によれば、認証後の磁気カードの抜き取りを抑制し、セキュリティ性を向上させることが可能となる。
【図面の簡単な説明】
【００１３】
【図１】実施の形態にかかる磁気カードリーダの構成を示す図である。
【図２】実施の形態にかかる磁気カードリーダの構成を示す図である。
【図３】実施の形態にかかる磁気カードリーダにおける認証処理手順を説明する図である。
【図４】比較例における認証処理手順の問題点を説明する図である。
【発明を実施するための形態】
【００１４】
以下、図面を参照して本発明の実施の形態について説明する。説明の明確化のため、以下の記載及び図面は、適宜、省略、及び簡略化がなされている。なお、各図面において、同一の要素には同一の符号が付されており、必要に応じて重複説明は省略されている。
【００１５】
実施の形態に係る磁気カードリーダは、認証後の磁気カードを保持したままでシステムを操作可能とし、磁気カードが抜き取られるとシステムを操作不可能とする。実施の形態に係る磁気カードリーダは、認証した磁気カードを保持する際に、当該磁気カードを不正に取り出すことを抑止する構造を有している。
【００１６】
以下、図面を参照して本発明の実施の形態について説明する。図１、２は、実施の形態に係る磁気カードリーダ１の構成を示す図である。図１に示すように、磁気カードリーダ１は、本体１０、屋根２０を備えている。本体１０の上部には、カード走行溝１１が設けられている。図２に示すように、カード走行溝１１は、差込部１２、走行部１３、保持部１４を含む。
【００１７】
磁気カード３０は、差込部１２からカード走行溝１１内に導入される。導入された磁気カード３０は、走行部１３に沿って保持部１４まで移送される。カード走行溝１１の幅は、差込部１２から保持部１４に向かって狭くなっている。このように、差込部１２でのカード走行溝１１の幅が大きくなっていることにより、磁気カード３０を差込部１２へ容易に差し込むことが可能となる。保持部１４は、走行部１３から一体的に連結されている。磁気カード３０は、走行部１３から保持部１４まで連続移動可能である。
【００１８】
走行部１３内には、磁気ヘッド１５が設置されている。磁気ヘッド１５は、磁気カード３０の磁気ストライプに書き込まれたユーザＩＤ等の情報を読み取る。磁気カード３０をカード走行溝１１の差込部１２から保持部１４に向かってスライドさせることにより、磁気カード３０の情報が磁気ヘッド１５により読み取られる。磁気カードリーダ１は、読み取った情報に基づきユーザ認証を行う。
【００１９】
保持部１４は、磁気ヘッド１５により読み取った認証後の磁気カード３０を保持する。保持部１４には、検知センサ１６が設けられている。検知センサ１６は、磁気カード３０が保持部１４により保持されているか否かを検知する。情報を読み取った磁気カード３０が保持部１４に保持されている状態で金融端末等のシステム１８が操作可能な状態となり、保持部１４が抜き取られるとシステム１８が操作不可能となる。システム１８は、磁気カード３０が保持部１４に保持されてから抜去されるまで、当該磁磁気カード３０の情報に応じたアクセスを許可する。
【００２０】
カード走行溝１１の末端には、カードストッパ１７が設けられている。カードストッパ１７は、保持部１４の終端部となる。磁気カード３０は、カードストッパ１７に突き当たる位置で保持される。すなわち、カードストッパ１７と壁２１とは、磁気カード３０の行き止まり端を形成する。
【００２１】
保持部１４の上部には、屋根２０が設けられている。屋根２０は、保持部１４に保持されている磁気カード３０を覆うように配置される。このように、カード走行溝１１の保持部１４の上部が屋根２０により覆われていることにより、保持部１４内に容易に他のカードや名刺等の保持部１４に磁気カード３０が保持されていると誤認させる物体を差し込むことはできない。これにより、不正に、システムへの不正なアクセス継続を抑制することが可能となる。また、磁気カード３０をカード走行溝１１から引抜くことはできない。このため、抜き取られたカードを利用した不正アクセスが発生を抑制することが可能となる。
【００２２】
本体１０と屋根２０との間には、壁２１が設けられている。壁２１は、カード走行溝１１の末端側の辺と、カード走行溝１１に平行な二辺の、三辺を囲むようにコの字型に設けられている。したがって、保持部１４に保持された磁気カード３０のカードストッパ１７側は、屋根２０と壁２１とにより覆われる。
【００２３】
カード走行溝１１に平行な２つの壁２１の差込部１２側には面取り部２２が設けられている。これにより、壁２１にぶつかることなくスムーズに、磁気カード３０を保持部１４まで移送することができるようになる。
【００２４】
磁気カード３０は、保持部１４に保持されたときに、磁気カード３０に対向する屋根２０に対して略隙間がないように、カード走行溝１１と屋根２０との間に入り込む。すなわち、屋根２０の本体１０からの高さは、本体１０から突出する磁気カード３０の高さと略等しい。これにより、他のカード等の差し込みや認証された磁気カード３０の抜き取りをより難しくすることができる。
【００２５】
カード走行溝１１の末端側において、カードストッパ１７と壁２１とは連続して形成されている。これにより、カード走行溝１１の末端側からの磁気カード３０の抜き取りができなくなり、よりセキュリティ性を向上させることが可能となる。
【００２６】
ここで、屋根２０を有さない比較例の磁気カードリーダにおける認証処理手順について、図４を参照して説明する。図４に示すように、まず、磁気カード３０の読み込みが行われる（ステップＳ２１）。その後、読み取った情報に基づき、ユーザ認証が行われる（ステップＳ２２）。ユーザ認証が成功した後、他カード・名刺等を差し込みなりすましが行われると（ステップＳ２３）、本来のシステム利用者以外のシステム利用が可能となってしまう（ステップＳ２４）。
【００２７】
これに対し、実施の形態にかかる磁気カードリーダ１における認証処理手順について、図３を参照して説明する。図３は、実施の形態にかかる磁気カードリーダにおける認証処理手順を説明する図である。図３に示すように、まず、磁気カード３０の読み込みが行われる（ステップＳ１１）。その後、読み取った情報に基づき、ユーザ認証が行われる（ステップＳ１２）。
【００２８】
実施の形態に係る磁気カードリーダ１では、屋根２０が設けられているため、本人認証を行った磁気カード３０を他の物体と差し替えることができない。このため、ユーザ認証が成功すると、磁気カード３０が保持部１４に保持された状態でログイン等ができ、本来のシステム利用者によるシステムの利用が可能となる。
【００２９】
以上説明したように、本発明によれば、認証後の磁気カードの抜き取りを抑制し、セキュリティ性を向上させることが可能となる。
【００３０】
なお、本発明は上記実施の形態に限られたものではなく、趣旨を逸脱しない範囲で適宜変更することが可能である。
【符号の説明】
【００３１】
１  磁気カードリーダ
１０  本体
１１  カード走行溝
１２  差込部
１３  走行部
１４  保持部
１５  磁気ヘッド
１６  検知センサ
１７  カードストッパ
１８  システム
２０  屋根
２１  壁
２２  面取り部
３０  磁気カード
【図１】
0006565250.tif 000002
【図２】
0006565250.tif 000003
【図３】
0006565250.tif 000004
【図４】
0006565250.tif 000005